【手続補正書】
【提出日】平成31年1月18日(2019.1.18)
【手続補正１】
【補正対象書類名】特許請求の範囲
【補正対象項目名】全文
【補正方法】変更
【補正の内容】
【特許請求の範囲】
【請求項１】
抗微生物活性を生じさせるための殺菌組成物であって、過酸化水素を放出するように基質を変換可能な精製酵素と、前記酵素に対する精製基質を含む物質とを含み、前記組成物は、前記酵素が前記基質を変換するのに十分な自由水を含まない、殺菌組成物。
【請求項２】
追加のペルオキシダーゼを一切含まない、請求項１に記載の組成物。
【請求項３】
前記精製酵素が少なくとも９０％の純度である、請求項１または請求項２に記載の組成物。
【請求項４】
前記精製基質が少なくとも９０％の純度である、請求項１〜３のいずれかに記載の組成物。
【請求項５】
固体形態であり、場合により、前記固体形態が粉末を含む、請求項１〜４のいずれかに記載の組成物。
【請求項６】
液体である、請求項１〜４のいずれかに記載の組成物。
【請求項７】
繊維であって、場合により、エレクトロスピニング繊維またはナノファイバーであり、過酸化水素を放出するように基質を変換可能である精製酵素と、前記酵素に対する精製基質を含む物質とを含み、前記繊維は、前記酵素が前記基質を変換するのに十分な自由水を含まず、前記繊維は、ａ）殺菌されている、および／または追加のペルオキシダーゼを一切含まない、繊維。
【請求項８】
前記精製酵素が少なくとも９０％の純度である、請求項７に記載の繊維。
【請求項９】
前記精製基質が少なくとも９０％の純度である、請求項７または請求項８に記載の繊維。
【請求項１０】
検出可能な過酸化水素をまったく含まない、請求項１〜６のいずれかに記載の組成物または請求項７〜９のいずれかに記載の繊維。
【請求項１１】
前記基質がグルコースであり、前記酵素がグルコースオキシダーゼである、請求項１〜６および１０のいずれかに記載の組成物または請求項７〜１０のいずれかに記載の繊維。
【請求項１２】
ポリマーを含む、請求項１〜６、１０および１１のいずれかに記載の組成物または請求項７〜１１のいずれかに記載の繊維。
【請求項１３】
前記ポリマーが、ポリエチレンオキシド、ポリビニルアルコール、ポリビニルピロリドン、乳酸−グリコール酸共重合体、ポリグリコール酸、ポリ乳酸、ポリカプロラクトン、高分子界面活性剤、およびホスフィノ−カルボン酸から選択される、請求項１２に記載の組成物または繊維。
【請求項１４】
非水性溶媒を含む、請求項１〜６および１０〜１３のいずれかに記載の組成物または請求項１０〜１３のいずれかに記載の繊維。
【請求項１５】
前記非水性溶媒が、エタノール、ジメチルスルホキシド、グリセロール、エチレングリコール及びプロピレングリコールからなる群から選択される、請求項１４に記載の組成物または繊維。
【請求項１６】
前記非水性溶媒が、グリセロールである、請求項１５に記載の組成物または繊維。
【請求項１７】
製薬等級である、請求項１〜６および１０〜１６のいずれかに記載の組成物または請求項７〜１６のいずれかに記載の繊維。
【請求項１８】
抗酸化剤を含む、請求項１〜６および１０〜１７のいずれかに記載の組成物または請求項７〜１７のいずれかに記載の繊維。
【請求項１９】
医薬品としての使用のための、請求項１〜６および１０〜１８のいずれかに記載の組成物または請求項７〜１８のいずれかに記載の繊維。
【請求項２０】
ａ）創傷の治療、ｂ）微生物感染、場合により、鼻上皮上のバイオフィルムなどのバイオフィルム、またはバイオフィルムの形成が可能な微生物を含む、微生物感染の予防、治療または改善、ｃ）炎症の治療、ｄ）組織増殖の刺激、ｅ）創傷のデブリードマン、またはｆ）創傷の消臭における使用のための、請求項１〜６および１０〜１９のいずれかに記載の組成物または請求項７〜１９のいずれかに記載の繊維。
【請求項２１】
ａ）創傷の治療、ｂ）微生物感染、場合により、鼻上皮上のバイオフィルムなどのバイオフィルム、またはバイオフィルムの形成が可能な微生物を含む、微生物感染の予防、治療または改善、ｃ）炎症の治療、ｄ）組織増殖の刺激、ｅ）創傷のデブリードマン、またはｆ）創傷の消臭における使用のための医薬品の製造における、請求項１〜６および１０〜１９のいずれかに記載の組成物または請求項７〜１９のいずれかに記載の繊維の使用。
【請求項２２】
組成物を患者に送達するための機器であって、前記機器は請求項１〜６および１０〜１８のいずれかに記載の組成物を含み、場合により、前記機器は、ａ）噴霧もしくは霧状化装置、例えばポンプ作動型スプレーもしくはエアゾールスプレー、またはｂ）シリンジである、機器。
【請求項２３】
繊維の製造方法であって、
ｉ）エレクトロスピニング可能な組成物であって、過酸化水素を放出するように基質を変換可能な精製酵素と、前記酵素に対する基質を含む物質と、場合によりポリマーとを含む、エレクトロスピニング可能な組成物をエレクトロスピニングすること、または
ｉｉ）繊維、場合によりエレクトロスピニングにより形成された繊維を、組成物であって、過酸化水素を放出するように基質を変換可能な精製酵素と、前記酵素に対する精製基質を含む物質とを含む組成物でコーティングすること
を含む、方法。
【請求項２４】
前記精製酵素が少なくとも９０％の純度である、請求項２３に記載の方法。
【請求項２５】
前記精製基質が少なくとも９０％の純度である、請求項２３または請求項２４に記載の方法。
【請求項２６】
前記組成物が、ａ）殺菌されている、および／または追加のペルオキシダーゼを一切含まない、請求項２３〜２５のいずれかに記載の方法。
【請求項２７】
前記繊維が、前記酵素が前記基質を変換するのに十分な自由水を含まない、請求項２３〜２６のいずれかに記載の方法。
【請求項２８】
１種以上の請求項７〜１８のいずれかに記載の繊維を含む、または請求項１〜６および１０〜１８のいずれかに記載の組成物でコーティングされた繊維を含む、創傷ドレッシング材。
【請求項２９】
請求項１〜６および１０〜１８のいずれかに記載の組成物の製造方法であって、過酸化水素を放出するように基質を変換可能な精製酵素を、前記酵素が前記基質を変換するのに十分な自由水の非存在下で前記酵素に対する精製基質と接触させることを含む、方法。
【請求項３０】
前記酵素を前記基質と接触後に、前記組成物を殺菌することを含む、請求項２９に記載の方法。
【請求項３１】
組成物を殺菌することを含む方法であって、前記組成物が、過酸化水素を放出するように基質を変換可能な精製酵素と、前記酵素に対する精製基質を含む物質とを含み、前記組成物は、前記酵素が前記基質を変換するのに十分な自由水を含まない、方法。
【請求項３２】
殺菌が、前記組成物を照射すること、場合によりガンマ照射を使用することにより起こる、請求項３０または請求項３１に記載の方法。
【手続補正２】
【補正対象書類名】明細書
【補正対象項目名】０５９８
【補正方法】変更
【補正の内容】
【０５９８】
また、特にマスト細胞が存在する領域、例えば鼻粘膜組織などの外部環境に密に接触する組織の上皮と接触するとき、Ｓｕｒｇｉｈｏｎｅｙまたは本発明の他の組成物と細胞の接触を、２４時間未満、好ましくは６時間未満、または３時間未満に制限することも有益であり得る。
一実施形態において、例えば、以下の項目が提供される。
（項目１）
繊維であって、過酸化水素を放出するように基質を変換可能である酵素と、前記酵素に対する基質を含む未精製の天然物質とを含み、前記酵素は、過酸化水素を放出するように前記基質を変換可能な、前記未精製の天然物質に存在し得る任意の酵素活性に付加される、前記繊維。
（項目２）
エレクトロスピニング繊維である、項目１に記載の繊維。
（項目３）
ナノファイバーである、項目１または項目２に記載の繊維。
（項目４）
少なくとも２４時間、過酸化水素を持続放出させるのに十分な酵素及び基質を含む、先行項目のいずれかに記載の繊維。
（項目５）
少なくとも２４時間、２ｍｍｏｌ／リットル未満の濃度で過酸化水素を持続放出させるのに十分な酵素及び基質を含む、先行項目のいずれかに記載の繊維。
（項目６）
前記酵素が前記基質を変換するのに十分な自由水を含まない、先行項目のいずれかに記載の繊維。
（項目７）
前記酵素が前記基質を変換するのに十分な水との接触後に、少なくとも２４時間、過酸化水素を持続放出させるのに十分な酵素及び基質を含む、項目６に記載の繊維。
（項目８）
前記酵素が前記基質を変換するのに十分な水との接触後に、少なくとも２４時間、２ｍｍｏｌ／リットル未満の濃度で過酸化水素を持続放出させるのに十分な酵素及び基質を含む、項目６または項目７に記載の繊維。
（項目９）
殺菌された状態である、先行項目のいずれかに記載の繊維。
（項目１０）
ガンマ照射曝露により殺菌されている、項目９に記載の繊維。
（項目１１）
エレクトロスピニング可能な組成物であって、過酸化水素を放出するように基質を変換可能である酵素と、前記酵素に対する基質を含む未精製の天然物質とを含み、前記酵素は、過酸化水素を放出するように前記基質を変換可能な、前記未精製の天然物質に存在し得る任意の酵素活性に付加される、前記組成物。
（項目１２）
溶液である、項目１１に記載の組成物。
（項目１３）
エレクトロスピニング可能な成分を更に含む、先行項目のいずれかに記載の繊維または組成物。
（項目１４）
前記エレクトロスピニング可能な成分がエレクトロスピニング可能なポリマーである、項目１３に記載の繊維または組成物。
（項目１５）
前記エレクトロスピニング可能な成分が水溶性である、項目１３または項目１４に記載の繊維または組成物。
（項目１６）
前記エレクトロスピニング可能な成分が、ポリエチレンオキシド、ポリビニルアルコール、及びポリビニルピロリドンからなる群から選択される、項目１３〜１５のいずれかに記載の繊維または組成物。
（項目１７）
前記酵素が精製酵素である、先行項目のいずれかに記載の繊維または組成物。
（項目１８）
前記未精製の天然物質にカタラーゼ活性がない、先行項目のいずれかに記載の繊維または組成物。
（項目１９）
前記未精製の天然物質が未精製の天然糖物質である、先行項目のいずれかに記載の繊維または組成物。
（項目２０）
前記未精製の天然物質が蜂蜜である、先行項目のいずれかに記載の繊維または組成物。
（項目２１）
前記蜂蜜が未低温殺菌蜂蜜、好ましくはクリーム状の未低温殺菌蜂蜜である、項目２０に記載の繊維または組成物。
（項目２２）
前記酵素がオキシドレダクターゼ酵素、好ましくはグルコースオキシダーゼである、先行項目のいずれかに記載の繊維または組成物。
（項目２３）
項目１〜１０または項目１３〜２２のいずれかに記載の１種または１種より多くの繊維を含む創傷ドレッシング材。
（項目２４）
項目１１〜２２のいずれかに記載の組成物をエレクトロスピニングすることを含む、繊維の製造方法。
（項目２５）
繊維の製造における抗微生物活性を生じさせるための組成物の使用であって、前記組成物が、過酸化水素を放出するように基質を変換可能である酵素と、前記酵素に対する基質を含む未精製の天然物質とを含み、前記酵素は、過酸化水素を放出するように前記基質を変換可能な、前記未精製の天然物質に存在し得る任意の酵素活性に付加される、前記使用。
（項目２６）
項目６〜１０または１３〜２２のいずれかに記載の繊維、または項目６〜１０または１３〜２２のいずれかに依存する項目２３に記載の創傷ドレッシング材を、前記酵素が前記未精製の天然物質中の前記基質を変換して過酸化水素を放出するのに十分な水と接触させることを含む、抗微生物組成物の製造方法。
（項目２７）
項目２６の方法により得られる、抗微生物組成物。
（項目２８）
医薬品としての使用のための、項目１〜１０もしくは１３〜１２に記載の繊維、または項目２７に記載の組成物。
（項目２９）
項目１〜１０もしくは１３〜２２のいずれかに記載の繊維、項目２３に記載の創傷ドレッシング材、または項目２７に記載の組成物を創傷に施すことを含む、創傷の治療方法。
（項目３０）
創傷の治療における使用のための、項目１〜１０もしくは１３〜２２に記載の繊維、または項目２７に記載の組成物。
（項目３１）
創傷の治療のための医薬品の製造における、項目１〜１０もしくは１３〜２２に記載の繊維、または項目２７に記載の組成物の使用。
（項目３２）
微生物感染の予防、治療または改善方法であって、項目１〜１０もしくは１３〜２２のいずれかに記載の繊維、項目２３に記載の創傷ドレッシング材、または項目２７に記載の組成物を、そのような予防、治療または改善を必要とする対象に施すことを含む、前記方法。
（項目３３）
微生物感染の予防、治療または改善における使用のための、項目１〜１０もしくは１３〜２２に記載の繊維、または項目２７に記載の組成物。
（項目３４）
微生物感染の予防、治療または改善のための医薬品の製造における、項目１〜１０もしくは１３〜２２に記載の繊維、または項目２７に記載の組成物の使用。
（項目３５）
項目１〜１０もしくは１３〜２２のいずれかに記載の繊維、項目２３に記載の創傷ドレッシング材、または項目２７に記載の組成物を炎症部位に施すことを含む、炎症の治療方法。
（項目３６）
炎症の治療における使用のための、項目１〜１０もしくは１３〜２２に記載の繊維、または項目２７に記載の組成物。
（項目３７）
炎症の治療のための医薬品の製造における、項目１〜１０もしくは１３〜２２に記載の繊維、または項目２７に記載の組成物の使用。
（項目３８）
組織増殖の刺激方法であって、項目１〜１０もしくは１３〜２２のいずれかに記載の繊維、項目２３に記載の創傷ドレッシング材、または項目２７に記載の組成物を、そのような刺激を必要とする部位に施すことを含む、前記方法。
（項目３９）
組織増殖の刺激における使用のための、項目１〜１０もしくは１３〜２２に記載の繊維、または項目２７に記載の組成物。
（項目４０）
組織増殖の刺激のための医薬品の製造における、項目１〜１０もしくは１３〜２２に記載の繊維、または項目２７に記載の組成物の使用。
（項目４１）
項目１〜１０もしくは１３〜２２のいずれかに記載の繊維、項目２３に記載の創傷ドレッシング材、または項目２７に記載の組成物を、デブリードマンを必要とする創傷に施すことを含む、創傷のデブリードマン方法。
（項目４２）
創傷のデブリードマンにおける使用のための、項目１〜１０もしくは１３〜２２に記載の繊維、または項目２７に記載の組成物。
（項目４３）
創傷のデブリードマンのための医薬品の製造における、項目１〜１０もしくは１３〜２２に記載の繊維、または項目２７に記載の組成物の使用。
（項目４４）
項目１〜１０もしくは１３〜２２のいずれかに記載の繊維、項目２３に記載の創傷ドレッシング材、または項目２７に記載の組成物を、消臭を必要とする創傷に施すことを含む、創傷の消臭方法。
（項目４５）
創傷の消臭における使用のための、項目１〜１０もしくは１３〜２２に記載の繊維、または項目２７に記載の組成物。
（項目４６）
創傷の消臭のための医薬品の製造における、項目１〜１０もしくは１３〜２２に記載の繊維、または項目２７に記載の組成物の使用。
（項目４７）
項目１〜１０もしくは１３〜２２に記載の繊維、または項目２７に記載の組成物、または項目２４に記載の組成物を、薬学的に許容される担体、賦形剤または希釈剤と共に含む、医薬組成物。
（項目４８）
バイオフィルムまたはバイオフィルムの形成が可能な微生物を含む微生物感染の予防または治療における使用のための、項目１〜１０もしくは１３〜２２に記載の繊維、または項目２７に記載の組成物であって、好ましくは、前記繊維または組成物が、前記微生物による前記バイオフィルムの増殖または播種を防止または阻止する、前記繊維または組成物。
（項目４９）
バイオフィルムまたはバイオフィルムの形成が可能な微生物を含む微生物感染の予防または治療のための医薬品の製造における、項目１〜１０もしくは１３〜２２に記載の繊維、または項目２７に記載の組成物の使用であって、好ましくは、前記繊維または組成物が、前記微生物による前記バイオフィルムの増殖または播種を防止または阻止する、前記使用。
（項目５０）
前記微生物感染が、バイオフィルムの形成が可能なバクテリア、好ましくはグラム陰性菌を含み、場合により前記バクテリアがＰｓｅｕｄｏｍｏｎａｓ  ａｅｒｕｇｉｎｏｓまたはＡｃｉｎｅｔｏｂａｃｔｅｒ  ｂａｕｍａｎｎｉｉである、項目４８または項目４９に記載の使用。
（項目５１）
項目１〜１０もしくは１３〜２２のいずれかに記載の繊維、項目２３に記載の創傷ドレッシング材、または項目２７に記載の組成物を炎症部位に施すことを含む、バイオフィルムまたはバイオフィルムの形成が可能な微生物を含む微生物感染の予防または治療方法。
（項目５２）
図３４〜３６で参照される、実質的に上記に記載される繊維またはドレッシング材。
（項目５３）
組成物であって、過酸化水素を放出するように基質を変換可能である酵素と、前記酵素に対する基質を含む未精製の天然物質であって、前記酵素が、過酸化水素を放出するように前記基質を変換可能な、前記未精製の天然物質に存在し得る任意の酵素活性に付加される、前記未精製の天然物質と、ポリマーと、を含む、前記組成物。
（項目５４）
エレクトロスピニング可能な組成物及び／または噴霧可能なもしくは霧状化可能な組成物である、項目５３に記載の組成物。
（項目５５）
前記ポリマーが、ポリエチレンオキシド、ポリビニルアルコール及びポリビニルピロリドンから選択される、項目５３または項目５４に記載の組成物。
（項目５６）
組成物を患者に送達するための機器であって、項目５３〜５５のいずれかに記載の組成物を含む前記機器。
（項目５７）
噴霧機器または霧状化機器である、項目５６に記載の機器。
（項目５８）
ｉ）項目５３〜５５のいずれかに記載の組成物と、ｉｉ）組成物を患者に送達するための機器を含む、キット。
（項目５９）
項目５３〜５５のいずれかに記載の組成物を患者に塗布または投与する方法であって、患者の気道に、前記組成物を噴霧すること、前記組成物を注入すること、前記組成物を吸入すること、または前記組成物を塗布することを含む、前記方法。
（項目６０）
医薬品としての使用のための、項目５３〜５５のいずれかに記載の前記組成物。
（項目６１）
項目６０に記載の使用のための組成物であって、前記組成物の噴霧により、注入により、吸入により、または塗布により、前記組成物が、患者の気道に投与または塗布される、前記組成物。
（項目６２）
抗微生物活性を生じさせるための組成物であって、過酸化水素を放出するように基質を変換可能な酵素と、前記酵素に対する基質を含む物質とを含み、前記酵素は、過酸化水素を放出するように前記基質を変換可能である、前記物質に存在し得る任意の酵素活性に付加される、前記組成物。
（項目６３）
前記物質が、前記酵素に対する精製基質を含む、項目６２に記載の組成物。
（項目６４）
前記精製基質が精製された糖物質であるか、または精製された糖物質を含む、項目６２または項目６３に記載の組成物。
（項目６５）
前記物質が未精製の天然物質である、項目６２に記載の組成物。
（項目６６）
ポリマーを含む、項目６２〜６５のいずれかに記載の組成物。
（項目６７）
前記組成物が、前記酵素が前記基質を変換するのに十分な自由水を含まない、項目６２〜６６のいずれかに記載の組成物。
（項目６８）
水溶性の分包内に収容された、項目１１〜２２、５３〜５５または６２〜６７のいずれかに記載の組成物。
（項目６９）
項目１１〜２２、５３〜５５または６２〜６７のいずれかに記載の組成物と、前記組成物を封入する水溶性層とを含む、創傷ドレッシング材。
（項目７０）
検出可能な過酸化水素をまったく含まない、項目１１〜２２、５３〜５５、６２〜６７または６８のいずれかに記載の組成物。
（項目７１）
項目１１〜２２、５３〜５５または６２〜７０のいずれかに記載の組成物または創傷ドレッシング材であって、前記組成物が１２重量％または１２重量％未満の水を含む、前記組成物または創傷ドレッシング材。
（項目７２）
項目１１〜２２、５３〜５５または６２〜７０のいずれかに記載の組成物または創傷ドレッシング材であって、前記組成物が１０重量％または１０重量％未満の水を含む、前記組成物または創傷ドレッシング材。
（項目７３）
項目１１〜２２、５３〜５５または６２〜７０のいずれかに記載の組成物または創傷ドレッシング材であって、前記組成物が５重量％または５重量％未満の水を含む、前記組成物または創傷ドレッシング材。
（項目７４）
項目１１〜２２、５３〜５５または６２〜７０のいずれかに記載の組成物または創傷ドレッシング材であって、前記組成物が３重量％または３重量％未満の水を含む、前記組成物または創傷ドレッシング材。
（項目７５）
項目１１〜２２、５３〜５５または６２〜７４のいずれかに記載の組成物または創傷ドレッシング材であって、前記組成物が加工助剤、乾燥助剤、充填剤及び／または固化防止剤を含む、前記組成物または創傷ドレッシング材。
（項目７６）
項目７１〜７５のいずれかに記載の組成物または創傷ドレッシング材であって、前記組成物が乾燥により得た、または得られる、前記組成物または創傷ドレッシング材。
（項目７７）
前記乾燥が凍結乾燥、真空乾燥または噴霧乾燥を含む、項目７６に記載の組成物または創傷ドレッシング材。
（項目７８）
項目７１〜７７のいずれかに記載の組成物または創傷ドレッシング材であって、前記組成物が固体形態である、前記組成物または創傷ドレッシング材。
（項目７９）
前記固体形態が粉末、フレーク、顆粒、トローチ剤または錠剤である、項目７８に記載の組成物または創傷ドレッシング材。
（項目８０）
項目１１〜２２、５３〜５５または６２〜７９のいずれかに記載の組成物または創傷ドレッシング材であって、前記組成物が、少なくとも１時間、１２時間、２４時間、２日間または４日間、１０〜５００ｐｐｍの濃度で過酸化水素を持続放出する、前記組成物または創傷ドレッシング材。
（項目８１）
項目１１〜２２、５３〜５５または６２〜７９のいずれかに記載の組成物または創傷ドレッシング材であって、前記組成物が、少なくとも１時間、１２時間、２４時間、２日間または４日間、５０〜１００ｐｐｍの濃度で過酸化水素を持続放出する、前記組成物または創傷ドレッシング材。
（項目８２）
項目１１〜２２、５３〜５５または６２〜７９のいずれかに記載の組成物または創傷ドレッシング材であって、前記組成物が、少なくとも１時間、１２時間、２４時間、２日間または４日間、２〜５０ｐｐｍの濃度で過酸化水素を持続放出する、前記組成物または創傷ドレッシング材。
（項目８３）
項目１１〜２２、５３〜５５または６２〜７９のいずれかに記載の組成物または創傷ドレッシング材であって、前記組成物が、少なくとも１時間、１２時間、２４時間、２日間または４日間、５〜１０ｐｐｍの濃度で過酸化水素を持続放出する、前記組成物または創傷ドレッシング材。
（項目８４）
少なくとも２４時間、２ｍｍｏｌ／リットル未満の濃度で過酸化水素を持続放出させるのに十分な酵素及び基質を含む、項目１１〜２２、５３〜５５または６２〜７９のいずれかに記載の組成物または創傷ドレッシング材。
（項目８５）
少なくとも２４時間、より好ましくは４８時間、少なくとも０．１、０．５、１または１．５ｍｍｏｌ／リットルの過酸化水素を持続放出させるのに十分な酵素及び基質を含む、項目１１〜２２、５３〜５５または６２〜７９または８４のいずれかに記載の組成物または創傷ドレッシング材。
（項目８６）
少なくとも１時間、１２時間、２４時間、２日間または４日間、１０〜５００ｐｐｍの濃度で過酸化水素を持続放出する、項目１〜１０または１３〜２２のいずれかに記載の繊維または創傷ドレッシング材。
（項目８７）
少なくとも１時間、１２時間、２４時間、２日間または４日間、５０〜１００ｐｐｍの濃度で過酸化水素を持続放出する、項目１〜１０または１３〜２２のいずれかに記載の繊維または創傷ドレッシング材。
（項目８８）
少なくとも１時間、１２時間、２４時間、２日間または４日間、２〜５０ｐｐｍの濃度で過酸化水素を持続放出する、項目１〜１０または１３〜２２のいずれかに記載の繊維または創傷ドレッシング材。
（項目８９）
少なくとも１時間、１２時間、２４時間、２日間または４日間、５〜１０ｐｐｍの濃度で過酸化水素を持続放出する、項目１〜１０または１３〜２２のいずれかに記載の繊維または創傷ドレッシング材。
（項目９０）
項目１１〜２２、５３〜５５または６２〜８９のいずれかに記載の組成物または創傷ドレッシング材であって、前記組成物が非水性溶媒を含む、前記組成物または創傷ドレッシング材。
（項目９１）
ｉ）前記非水性溶媒が１種より多くの非水性溶媒の混合物を含むか、またはｉｉ）前記非水性溶媒が１種の非水溶性溶媒のみを含む、項目９０に記載の組成物または創傷ドレッシング材。
（項目９２）
前記非水性溶媒が、エタノール、ジメチルスルホキシド、グリセロール、エチレングリコール及びプロピレングリコールからなる群から選択されるか、または前記非水性溶媒が、エタノール、ジメチルスルホキシド、グリセロール、エチレングリコール及びプロピレングリコールからなる群から選択される１種より多くの非水性溶媒を含む、項目９０に記載の組成物または創傷ドレッシング材。
（項目９３）
前記非水性溶媒がグリセロールである、項目９０に記載の組成物または創傷ドレッシング材。
（項目９４）
前記非水性溶媒が、前記組成物の少なくとも５重量％である、項目９０〜９３のいずれかに記載の組成物または創傷ドレッシング材。
（項目９５）
前記非水性溶媒が、前記組成物の少なくとも１０重量％である、項目９０〜９３のいずれかに記載の組成物または創傷ドレッシング材。
（項目９６）
前記非水性溶媒が、前記組成物の少なくとも２０重量％である、項目９０〜９３のいずれかに記載の組成物または創傷ドレッシング材。
（項目９７）
前記非水性溶媒が、前記組成物の少なくとも５０重量％である、項目９０〜９３のいずれかに記載の組成物または創傷ドレッシング材。
（項目９８）
前記非水性溶媒が、前記組成物の少なくとも７５重量％である、項目９０〜９３のいずれかに記載の組成物または創傷ドレッシング材。
（項目９９）
前記非水性溶媒が、前記組成物の５０重量％または５０重量％未満である、項目９０〜９６のいずれかに記載の組成物または創傷ドレッシング材。
（項目１００）
前記非水性溶媒が、前記組成物の１〜５０重量％である、項目９０〜９６のいずれかに記載の組成物または創傷ドレッシング材。
（項目１０１）
前記非水性溶媒が、前記組成物の５０〜９０重量％である、項目９０〜９７のいずれかに記載の組成物または創傷ドレッシング材。
（項目１０２）
前記組成物または混合物の前記物質が蜂蜜であるか、または蜂蜜を含む、項目９０〜１０１のいずれかに記載の組成物または創傷ドレッシング材。
（項目１０３）
前記組成物または混合物の前記物質が蜂蜜であり、前記蜂蜜が少なくとも２５重量％の量で存在する、項目９０〜１０１のいずれかに記載の組成物または創傷ドレッシング材。
（項目１０４）
前記組成物または混合物の前記物質が蜂蜜であり、前記蜂蜜が少なくとも５０重量％の量で存在する、項目９０〜９７、または９９〜１００のいずれかに記載の組成物または創傷ドレッシング材。
（項目１０５）
前記組成物または混合物の前記物質が蜂蜜であり、前記蜂蜜が少なくとも７５重量％の量で存在する、項目９０〜９７、または９９〜１００のいずれかに記載の組成物または創傷ドレッシング材。
（項目１０６）
前記組成物または混合物の前記物質が蜂蜜であり、前記蜂蜜が１〜５０重量％の量で存在する、項目９０〜９７、または９９〜１００のいずれかに記載の組成物または創傷ドレッシング材。
（項目１０７）
前記組成物または混合物の前記物質が蜂蜜であり、前記蜂蜜が５０〜９０重量％の量で存在する、項目９０〜９７、または９９〜１００のいずれかに記載の組成物または創傷ドレッシング材。
（項目１０８）
項目１１〜２２、５３〜５５、６２〜７０、または８０〜８９のいずれかに記載の組成物または創傷ドレッシング材であって、前記組成物が非水性溶媒と水とを含み、前記水が前記物質中に存在し得る任意の水に添加される、前記組成物または創傷ドレッシング材。
（項目１０９）
ｉ）前記非水性溶媒が１種より多くの非水性溶媒の混合物を含むか、またはｉｉ）前記非水性溶媒が１種の非水性溶媒のみを含む、項目１０８に記載の組成物または創傷ドレッシング材。
（項目１１０）
項目１１〜２２、５３〜５５、６２〜７９、または８０〜８９のいずれかに記載の組成物または創傷ドレッシング材であって、前記組成物が湿潤剤と水とを含み、前記水が前記物質中に存在し得る任意の水に添加され、前記湿潤剤が前記物質中に存在し得るいずれかの湿潤剤に添加される、前記組成物または創傷ドレッシング材。
（項目１１１）
ｉ）前記湿潤剤が１種より多くの湿潤剤の混合物を含むか、またはｉｉ）前記湿潤剤が１種の湿潤剤のみを含む、項目１１０に記載の組成物または創傷ドレッシング材。
（項目１１２）
前記非水性溶媒もしくは湿潤剤が、エタノール、ジメチルスルホキシド、グリセロール、エチレングリコール及びプロピレングリコールからなる群から選択されるか、または前記非水性溶媒もしくは湿潤剤が、エタノール、ジメチルスルホキシド、グリセロール、エチレングリコール及びプロピレングリコールからなる群から選択される１種より多くの種類の非水性溶媒もしくは湿潤剤を含む、項目１０８または１１０に記載の組成物または創傷ドレッシング材。
（項目１１３）
前記非水性溶媒または湿潤剤がグリセロールである、項目１１２に記載の組成物または創傷ドレッシング材。
（項目１１４）
項目１０８〜１１３のいずれかに記載の組成物または創傷ドレッシング材であって、前記組成物に添加される水の量が、少なくとも５重量％、少なくとも１０重量％、少なくとも１５重量％または少なくとも２０重量％である、前記組成物または創傷ドレッシング材。
（項目１１５）
項目１０８〜１１４のいずれかに記載の組成物または創傷ドレッシング材であって、前記組成物に添加される水の量が、５０重量％もしくは５０重量％未満、または４０重量％もしくは４０重量％未満である、前記組成物または創傷ドレッシング材。
（項目１１６）
項目１０８〜１１３のいずれかに記載の組成物または創傷ドレッシング材であって、前記組成物に添加される水の量が、５〜５０重量％、５〜３０重量％、１５〜５０重量％、または２０〜４０重量％である、前記組成物または創傷ドレッシング材。
（項目１１７）
項目１０８〜１１３のいずれかに記載の組成物または創傷ドレッシング材であって、前記組成物中の水の総量が、少なくとも１５重量％、または少なくとも２０重量％である、前記組成物または創傷ドレッシング材。
（項目１１８）
項目１０８〜１１３、または１１７のいずれかに記載の組成物であって、前記組成物中の水の総量が、５０重量％もしくは５０重量％未満、または４０重量％もしくは４０重量％未満である、前記組成物。
（項目１１９）
項目１０８〜１１３のいずれかに記載の組成物であって、前記組成物中の水の総量が、１５〜５０重量％、または２０〜４０重量％である、前記組成物。
（項目１２０）
項目１０８〜１１３のいずれかに記載の組成物であって、前記組成物の水分活性が０．６未満、好ましくは０．５未満である、前記組成物。
（項目１２１）
項目１０８〜１２０のいずれかに記載の組成物であって、前記組成物中の前記湿潤剤または非水性溶媒の量が少なくとも３０重量％である、前記組成物。
（項目１２２）
項目１０８〜１２１のいずれかに記載の組成物であって、前記組成物中の前記湿潤剤または非水性溶媒の量が少なくとも４０重量％である、前記組成物。
（項目１２３）
項目１０８〜１２２のいずれかに記載の組成物であって、前記組成物中の前記湿潤剤または非水性溶媒の量が７５重量％または７５重量％未満である、前記組成物。
（項目１２４）
項目１０８〜１２３のいずれかに記載の組成物であって、前記組成物中の前記湿潤剤または非水性溶媒の量が６０重量％または６０重量％未満である、前記組成物。